(57)【要約】【課題】省エネルギーを促進するのに好適な制御端末装置等を提供する。【解決手段】本発明に係る設備装置を制御する制御端末装置１０１は、ユーザからの入力操作を受け付ける受付部１１１と、受け付けられた入力操作に基づいて、設備装置の動作を制御する制御部１１３と、設備装置もしくは他制御端末装置と通信して、受け付けられた入力操作を示す情報を送信し、また、設備装置もしくは他制御端末装置が送信した他入力操作を示す情報を受信する通信部１１０と、受信された他入力操作を示す情報を表示する表示部１１２と、を備える。そして、表示部１１２は、他入力操作の種類ごとに、受信された数に対応づけられる数情報を表示する。【選択図】図２
2011077687.tif 000002
【特許請求の範囲】
【請求項１】
設備装置を制御する制御端末装置であって、
ユーザからの入力操作を受け付ける受付部と、
前記受け付けられた入力操作に基づいて、前記設備装置の動作を制御する制御部と、
前記設備装置もしくは他制御端末装置と通信して、前記受け付けられた入力操作を示す情報を送信し、また、前記設備装置もしくは前記他制御端末装置が送信した他入力操作を示す情報を受信する通信部と、
前記受信された他入力操作を示す情報を表示する表示部と、を備え、
前記表示部は、前記他入力操作の種類ごとに、受信された数に対応づけられる数情報を表示する、
ことを特徴とする制御端末装置。
【請求項２】
前記設備装置の動作を制御する制御情報を記憶する記憶部をさらに備え、
前記制御情報の値は、前記設備装置が消費するエネルギーが減少すると増加し、前記設備装置が消費するエネルギーが増大すると減少する、
ことを特徴とする請求項１に記載の制御端末装置。
【請求項３】
前記制御部は、前記受け付けられた入力操作と同一の種類の前記他入力操作が所定数以上受信されると、前記設備装置の動作を制御する、
ことを特徴とする請求項１又は２に記載の制御端末装置。
【請求項４】
前記記憶部は、前記設備装置の動作を制御する優先順位を示す優先度をさらに記憶し、
前記制御部は、前記優先度に重み付けをして、前記制御情報を算出する、
ことを特徴とする請求項２又は３に記載の制御端末装置。
【請求項５】
自制御端末装置の位置を検出する位置検出部をさらに備え、
前記制御部は、前記検出された自制御端末装置の位置に基づいて、前記設備装置の動作を制御する、
ことを特徴とする請求項１乃至４のいずれか１項に記載の制御端末装置。
【請求項６】
受付部と、制御部と、通信部と、表示部と、を備える設備装置を制御する制御端末装置にて実行される制御方法であって、
前記受付部が、ユーザからの入力操作を受け付ける受付工程と、
前記制御部が、前記受け付けられた入力操作に基づいて、前記設備装置の動作を制御する制御工程と、
前記通信部が、前記設備装置もしくは他制御端末装置と通信して、前記受け付けられた入力操作を示す情報を送信し、また、前記設備装置もしくは前記他制御端末装置が送信した他入力操作を示す情報を受信する通信工程と、
前記表示部が、前記受信された他入力操作を示す情報を表示する表示工程と、を備え、
前記表示工程では、前記表示部が、前記他入力操作の種類ごとに、受信された数に対応づけられる数情報を表示する、
ことを特徴とする制御方法。
【発明の詳細な説明】
【技術分野】
【０００１】
本発明は、省エネルギーを促進するのに好適な制御端末装置、及び、制御方法に関する。
【背景技術】
【０００２】
省エネルギーを実現するために、空調装置のような設備装置を制御するための技術が開示されている（例えば、特許文献１参照）。
【先行技術文献】
【特許文献】
【０００３】
【特許文献１】特開２００４−３７５９号公報
【発明の概要】
【発明が解決しようとする課題】
【０００４】
しかしながら、特許文献１に開示されている構成では、一部のユーザが設定した設定値に基づいて設備装置が制御されると、省エネルギーを促進できない場合がある。そこで、省エネルギーを促進するのに好適な新たな手法が求められている。
【０００５】
本発明は、上記問題点に鑑みてなされたものであり、省エネルギーを促進するのに好適な制御端末装置、及び、制御方法を提供することを目的とする。
【課題を解決するための手段】
【０００６】
上記目的を達成するため、本発明の制御端末装置は、設備装置を制御する制御端末装置であって、
ユーザからの入力操作を受け付ける受付部と、
前記受け付けられた入力操作に基づいて、前記設備装置の動作を制御する制御部と、
前記設備装置もしくは他制御端末装置と通信して、前記受け付けられた入力操作を示す情報を送信し、また、前記設備装置もしくは前記他制御端末装置が送信した他入力操作を示す情報を受信する通信部と、
前記受信された他入力操作を示す情報を表示する表示部と、を備え、
前記表示部は、前記他入力操作の種類ごとに、受信された数に対応づけられる数情報を表示する、ことを特徴とする。
【発明の効果】
【０００７】
本発明によれば、省エネルギーを促進することができる。
【図面の簡単な説明】
【０００８】
【図１】本発明に係る制御端末装置を備えるシステムの構成を示す図である。
【図２】制御端末装置の構成を示す図である。
【図３】制御端末装置に表示される表示画面の一例を示す図である。
【図４】要求係数及び管理係数の時間変化を示す図である。
【図５】省エネルギーポイントの変化を示す図である。
【図６】要求係数及び管理係数を決定するための処理を示すフローチャートである。
【図７】要求係数及び管理係数の時間変化を示す図である。
【図８】設定温度の変化を示す図である。
【図９】要求係数と管理係数との差に基づいて変化する設定温度を示す図である。
【図１０】設定温度を変更するための処理を示すフローチャートである。
【発明を実施するための形態】
【０００９】
以下に本発明の実施形態を説明する。以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１０】
図１は、本発明の実施の形態に係る制御端末装置を備えるシステム構成を示す図である。本システムは、同図に示すように、複数の制御端末装置１０１（１０１ａ、１０１ｂ）、設備装置１０２等から構成される。
【００１１】
設備装置１０２は、例えば、空調装置、照明装置、換気装置、給湯装置等、任意の装置であり、複数の制御端末装置１０１からの命令を受け付けて、当該命令に基づいて動作する。例えば、設備装置１０２が空調装置である場合、制御端末装置１０１を介してユーザが設定温度を２７℃に設定すると、設備装置１０２は、当該設備装置１０２が設置される部屋の温度が２７℃となるように温度を制御する。
【００１２】
設備装置１０２は、制御端末装置１０１との間で、公知の無線通信を行うユニットを備え、アンテナ（図示せず）を介して所定のデータを送受信する。なお、設備装置１０２と制御端末装置１０１との間を有線通信にて、所定のデータを送受信することもできる。
【００１３】
複数の制御端末装置１０１は、それぞれ同一の機能を備える。以下では、複数の制御端末装置１０１のうち、所定の一つを自制御端末装置１０１ａとして、自制御端末装置１０１ａ以外を他制御端末装置１０１ｂとする。また、典型的には、一人のユーザが、一つの制御端末装置１０１を操作するが、複数のユーザが一つの制御端末装置１０１を操作することもでき、また、一人のユーザが複数の制御端末装置１０１を操作することもできる。
【００１４】
なお、設備装置１０２を制御するための制御端末装置１０１の数は、任意である。また、一つの制御端末装置１０１を用いて、複数の設備装置１０２を制御することもできる。
【００１５】
以下では、説明を容易にするために、設備装置１０２を、室内の温度を制御する空調装置として説明するが、設備装置１０２は空調装置に限定されない。
【００１６】
（制御端末装置の構成）
図２は、制御端末装置の構成を示す図である。制御端末装置１０１は、同図に示すように、通信部１１０、受付部１１１、表示部１１２、制御部１１３、記憶部１１４、位置検出部１１５等を備える。
【００１７】
通信部１１０は、例えば、アンテナ、無線通信に利用する変復調回路、通信プロトコルを実装するための回路等から構成され、設備装置１０２と交信し、種々の情報を送受信する。また、通信部１１０は、図１に示すように、設備装置１０２だけでなく、他制御端末装置１０１ｂと交信し、種々の情報を送受信することもできる。
【００１８】
受付部１１１は、指示やデータをユーザが入力するための各種のキー若しくはボタンから構成され、ユーザからの入力操作を受け付ける。ユーザは受付部１１１を介して、設備装置１０２の操作を行う。ユーザが入力したデータは、通信部１１０を介して設備装置１０２に送信され、当該送信されたデータに基づいて、設備装置１０２の動作が制御される。
【００１９】
例えば、受付部１１１を通じて、ユーザが設定温度の情報を２５℃と入力すると、通信部１１０を介して当該情報が設備装置１０２に送信される。当該情報を受信した設備装置１０２は、当該情報に基づいて、室内の温度が２５℃となるように動作する。
【００２０】
表示部１１２は、例えば、ＬＣＤ（Liquid Crystal Display）やドライバ回路等から構成され、任意の画像を表示する。図３は、表示画面の一例を示す図である。表示部１１２は、同図に示すように、設備装置１０２が制御する現在の設定温度を示す表示２０１、他制御端末装置１０１ｂを操作するユーザが入力操作した設定を示す表示２０２及び表示２０３、ユーザへのアドバイスを示す表示２０４、設備装置１０２を制御するため表示２０５等を表示する。
【００２１】
表示２０５には、ボタン２０６〜２０７が備えられ、当該ボタンが受付部１１１として機能する。例えば、ユーザが、ボタン２０６を押下すると、現在の設定温度が１℃上がり、また、ボタン２０７を押下すると、現在の設定温度が１℃下がる。ボタンが操作されることにより、現在の設定温度が２５℃から２６℃に変化すると、設備装置２０１は、当該温度情報を受け付けて、室内の温度が、２５℃から２６℃になるよう動作する。
【００２２】
表示２０２及び表示２０３には、他制御端末装置１０１ｂが受け付けた入力操作情報が表示される。例えば、室内の温度が低いために寒いと感じているユーザが、表示２０１に表示される現在の設定温度を上げたいとして、ボタン２０６を押下すると、他制御端末装置１０１ｂから自制御操作装置１０１ａに情報が直接送信され、もしくは、設備装置１０２を経由して自制御操作装置１０１ａに送信され、当該押下された情報が表示される。５つの他制御端末装置１０１ｂにおいて、ボタン２０６が押下されると、表示２０２において、「５人」と表示される。
【００２３】
表示２０４には、例えば、「ネクタイを緩めると涼しくなります」、「入口付近は涼しいです」等、任意の情報が表示される。
【００２４】
なお、情報を表示する方法は任意であり、例えば、色彩、明度、もしくは、グラフ等により、情報を表示することもできる。
【００２５】
制御部１１３は、例えば、ＣＰＵ（Central Processing Unit）から構成され、後述する記憶部１１４に格納された動作プログラムに従って制御端末装置１０１の全体的な動作を制御する。また、制御部１１３は、記憶部１１４が記憶する要求係数、管理係数、省エネルギーポイント（以下、「省エネポイント」という）、要求値、及び、管理値等を、所定の式に基づいて算出する。
【００２６】
図４は、要求係数及び管理係数の時間変化を示す図である。同図に示すように、要求係数は、時間の経過とともに逓減する係数であり、管理係数は、時間の経過とともに逓増する係数である。要求係数が管理係数より大きい場合、制御部１１３は、ユーザからの要求（例えば、設定温度を上げたい、設定温度を下げたい）を満たすように、ユーザにより設定されたユーザ設定温度に室内の温度が近づくよう設備装置１０２の動作を制御する。一方、管理係数が要求係数より大きい場合、制御部１１３は、制御端末装置１０１や設備装置１０２を管理する管理者が設定した管理目標を満たすように、管理者により設定された管理設定温度に室内の温度が近づくよう設備装置１０２の動作を制御する。
【００２７】
要求係数及び管理係数は、それぞれの制御端末装置１０１（１０１ａ、１０１ｂ）ごとに記憶され、制御端末装置１０１がｎ台ある場合には、ｎ個の要求係数及び管理係数が存在する。
【００２８】
図５は、省エネポイントの変化を示す図である。同図に示すように、省エネポイントは、設備装置１０２が消費するエネルギーが減少するように設定温度が上げられると増加し、設備装置１０２が消費するエネルギーが増大するように、設定温度が下げられると減少する。
【００２９】
制御部１１３は、下記の式（１）に基づいて、省エネポイントを算出する。省エネポイントは、例えば、ユーザが制御端末装置１０１を操作するごとに更新され、累積されていく。
【００３０】
Ｐ（ｘ＋１）＝Ｐ（ｘ）＋Ｅｃ×Ｅ、Ｐ（０）＝０    ・・・（１）；
Ｐ（ｘ）：省エネポイント
ｘ：０以上の整数値
Ｅｃ：エネルギー係数
Ｅ：エネルギー値
【００３１】
ここで、エネルギー係数とは、設備装置１０２が消費するエネルギーが、管理目標の範囲内にあるか否かにより値が変化する係数である。例えば、設備装置１０２により消費されるエネルギーが、管理目標の範囲内の場合、エネルギー係数は０．５であり、管理目標の範囲外の場合、エネルギー係数は１である。ここで、管理目標とは、制御端末装置１０１や設備装置１０２を管理する管理者により任意に定められるものである。具体的には、管理目標の範囲内にあるか否は、例えば、一日の使用電力や単位時間当たりの使用電力等が、一定値以下であるか否かに基づいて判定される。
【００３２】
ここで、エネルギー値とは、設備装置１０２が消費するエネルギーによって変化する値である。例えば、ユーザによりボタン２０６が押下されて、設定温度が１℃上げられると、設備装置１０２が消費するエネルギーが減少するため、エネルギー値は＋１変化する。また、ボタン２０７が押下されて、設定温度が１℃下げられると、設備装置１０２が消費するエネルギーが増加するため、エネルギー値は−１変化する。さらに、ボタン２０８が押下されると、エネルギー値は＋０．１変化する。すなわち、ユーザの入力操作により、設備装置１０２が消費するエネルギーが減少するとエネルギー値は増加し、設備装置１０２が消費するエネルギーが増加すると、エネルギー値は減少する。なお、エネルギー値を変化させる割合は、任意である。
【００３３】
省エネポイントは、それぞれの制御端末装置１０１（１０１ａ、１０１ｂ）ごとに算出されて記憶される。すなわち、制御端末装置１０１がｎ台ある場合、Ｐ１〜Ｐｎの省エネポイントが存在する。
【００３４】
自制御端末装置１０１ａに記憶される省エネポイントをＰ１とした場合、自制御端末装置１０１ａは、他制御端末装置１０１ｂに記憶される省エネポイントＰ２〜Ｐｎも記憶することができる。また、設備装置１０２が、複数の制御端末装置１０１（１０１ａ、１０１ｂ）に記憶される省エネポイントＰ１〜Ｐｎを記憶することもできる。
【００３５】
省エネポイントは、設備装置１０２の動作を制御する際に利用される。例えば、自制御端末装置１０１ａに記憶される省エネポイント（Ｐ１）が、他制御端末装置１０１ｂに記憶される省エネポイント（Ｐ２）より大きい場合には、自制御端末装置１０１ａからの要求が優先されて、設備装置１０２の動作が制御される。
【００３６】
また、制御部１１３は、下記の式（２）に基づいて、要求値を算出する。要求値は、ユーザにより現在の設定温度が変更されると、変化する値である。要求値は、例えば、一定時間間隔おき、所定の時刻になったとき、ユーザが制御端末装置１０１を操作したとき等、任意の時間において更新される。
【００３７】
Ｄ＝（Ｄｃ１×Ｎｃ１）＋（Ｄｃ２×Ｎｃ２）＋・・・＋（Ｄｃｎ×Ｎｃｎ）    ・・・（２）；
Ｄ：要求値
Ｄｃ：要求係数
Ｎｃ：規範係数
【００３８】
ここで、規範係数とは、あらかじめ設定される管理目標に沿って、省エネルギーが促進されているか否かに基づいて変化する係数である。規範係数は、省エネルギーが促進されると大きくなり、省エネルギーが促進されていないと小さくなる。例えば、省エネポイント＞第１閾値の場合、規範係数＝１、第１閾値≧省エネポイント＞第２閾値の場合、規範係数＝０．５、また、第２閾値≧省エネポイントの場合、規範係数＝０．２、として設定される。なお、第１閾値及び第２閾値は、第１閾値＞第２閾値の関係を満たす任意の値である。
【００３９】
規範係数は、それぞれの制御端末装置１０１（１０１ａ、１０１ｂ）ごとに記憶され、制御端末装置１０１がｎ台ある場合、Ｎｃ１〜Ｎｃｎの規範係数が存在する。
【００４０】
また、制御部１１３は、下記の式（３）に基づいて、管理値が算出される。管理値は、管理者により管理目標が変更されると、変化する値である。管理値は、例えば、一定時間間隔おき、所定の時刻になったとき、ユーザが制御端末装置１０１を操作したとき等、任意の時間において更新される。
【００４１】
Ｃ＝（Ｄｃ１×Ｎｃ１）＋（Ｄｃ２×Ｎｃ２）＋・・・＋（Ｄｃｎ×Ｎｃｎ）    ・・・（３）；
Ｃ：管理値
Ｄｃ：管理係数
Ｎｃ：規範係数
【００４２】
要求係数、管理係数、及び、規範係数は、省エネポイントを算出するための重み付けとして使用され、任意の数値を設定することができる。
【００４３】
記憶部１１４は、フラッシュメモリなどの不揮発性メモリ、ＲＡＭ（Random Access Memory）等から構成され、通信部１１０を介して受信した情報や、受付部１１１より受け付けられた情報を記憶する。また、記憶部１１４は、制御部１１３が算出した要求係数、管理係数、省エネポイント、要求値、及び、管理値等を、記憶する。また、記憶部１１４は、所定の処理を制御部１１３に実行させるためのプログラム等を記憶する。
【００４４】
位置検出部１１５は、例えば、加速度センサ、ＧＰＳ（Global Positioning System）、電波強度測定センサ等から構成され、制御端末装置１０１が存在する位置を検出する。位置を検出する方法は任意であり、例えば、電波測位方式では、３点測位方式や電界強度方式により、制御端末装置１０１の位置が検出される。
【００４５】
（係数決定処理）
次に、要求係数及び管理係数を決定するための処理について説明する。図６は、係数を決定するための処理を示すフローチャートである。
設備装置１０２は、設備装置１０２が設置される室内の温度が、あらかじめ設定された管理設定温度になるよう動作する。しかし、室内の温度が、常に管理設定温度（例えば、２８℃）に制御されると、ユーザによって不快に感じる場合がある。一方、不快に感じるユーザにより、制御端末装置１０１を介して設備装置１０２がユーザ設定温度（例えば、２４℃）になるよう制御されると、省エネルギーを促進することが困難となる場合がある。そこで、制御端末装置１０１に記憶される要求係数及び管理係数に基づいて、省エネルギーが促進されるように、設備装置１０２の動作が制御される。なお、要求係数及び管理係数を設備装置１０２に記憶させることもでき、当該記憶された係数に基づいて設備装置１０２の動作を制御することもできる。
【００４６】
まず、制御部１１３は、制御端末装置１０１を所持するユーザが、当該制御端末装置１０１により制御される設備装置１０２が設定される室内に、新規に入室したか否かを判定する（ステップＳ１０１）。
例えば、位置検出部１１５により検出される制御端末装置１０１の位置と設備装置１０２が設置される位置との距離が所定の閾距離以内である場合、制御端末装置１０１と設備装置１０２との間における電波強度が一定以上の場合、もしくは、制御端末装置１０１を所持するユーザが所定の距離以上移動した場合、新規に入室したと判定される。なお、判定方法は任意であり、上述の方法に限定されない。
【００４７】
新規に入室したと判定された場合（ステップＳ１０１；Ｙｅｓ）、制御部１１３は、要求係数＝第１所定値、管理係数＝０（初期値）として、要求係数が管理係数より大きくなるように係数を更新する（ステップＳ１０２）。なお、初期値及び第１所定値は、初期値＜第１所定値の関係を満たせば、任意の値である。また、要求係数及び管理係数の変化度合いは、任意である。
【００４８】
図７は、要求係数及び管理係数の時間変化を示す図である。同図に示すように、新規に入室したと判定された時間に、要求係数＝第１所定値、管理係数＝０（初期値）として、係数が更新される。要求係数が管理係数より大きい場合、制御部１１３は、受付部１１１を介してユーザが設定したユーザ設定温度を、現在の設定温度として設定して、当該設定されたユーザ設定温度を、通信部１１０を介して設備装置１０２へ送信する。そして、設備装置１０２は、室内の温度が受信されたユーザ設定温度になるよう動作する。
【００４９】
図８は、設定温度の変化を示す図である。ここでは、説明を容易にするために、管理者が設定した管理設定温度＝２８℃、ユーザが設定したユーザ設定温度＝２４℃として説明する。同図に示すように、新規に入室したと判定された時間において、ユーザからの要求に基づいて、設定温度が２８℃から２４℃に変更される。これは、現在の設定温度が管理設定温度に設定されていると、新規に入室したユーザが室内の温度環境を不快に感じる場合があるためである。ユーザからの要求を優先して、設定温度をユーザ設定温度とすることにより、ユーザからの不満を解消することができる。
【００５０】
制御端末装置１０１を所有するユーザが新規に入室した場合、当該制御端末装置１０１において設定されているユーザ設定温度が、管理設定温度より優先されて、室内の温度がユーザ設定温度となるように、設備装置１０２が制御される。すなわち、要求係数が管理係数より大きい場合、ユーザが要求するユーザ設定温度（ここでは、２４℃）が管理設定温度（ここでは、２８℃）より優先され、室内の温度が、ユーザ設定温度である２４℃となるように設備装置１０２が制御される。一方、管理係数が要求係数より大きい場合、管理設定温度がユーザ設定温度より優先され、室内の温度が、管理設定温度である２８℃となるように設備装置１０２が制御される。
【００５１】
一方、新規に入室がないと判定された場合（ステップＳ１０１；Ｎｏ）、制御部１１３は、所定の時間において、要求係数と管理係数とを比較し、要求係数＜管理係数の関係が成立するか否かを判定する（ステップＳ１０３）。なお、所定の時間とは、例えば、一定時間間隔おき、所定の時刻になったとき、ユーザが入力操作した回数が一定数以上となったとき、また、表示２０２もしくは表示２０３において表示される人数が一定数以上となったとき等、任意の時間である。
【００５２】
管理係数が要求係数より大きい場合（ステップＳ１０３；Ｙｅｓ）、制御部１１３は、要求係数＝第２所定値、管理係数＝０（初期値）として、要求係数が管理係数より大きくなるように係数を更新する（ステップＳ１０４）。なお、第２所定値は、初期値＜第２所定値＜第１所定値の関係を満たせば、任意の値である。
【００５３】
図７に示すように、要求係数と管理係数とが比較され、管理係数が要求係数より大きいと判定された所定の時間において、要求係数＝第２所定値、管理係数＝０（初期値）として、係数が更新される。要求係数が管理係数より大きくなると、ユーザが設定したユーザ設定温度が優先されて、室内の温度がユーザ設定温度となるように、設備装置１０２の動作が制御される。
【００５４】
所定の時間において、要求係数が管理係数より大きくなるように係数が更新されると、図８に示すように、ユーザ設定温度が優先されるため、設定温度が、ユーザ設定温度に近づくように下げられる。なお、設定温度を下げる度合いは、例えば、設定温度を１℃下げる、設定温度をユーザ設定温度とする等、任意である。また、要求係数と管理係数との差（比率）に基づいて、設定温度を変更することもできる。
【００５５】
図９は、要求係数と管理係数との差に基づいて変化する設定温度を示す図である。同図に示すように、管理係数が要求係数より大きい場合、すなわち、要求係数−管理係数≦０の場合、設定温度は、管理設定温度となる。一方、要求係数が管理係数より大きい場合、すなわち、要求係数−管理係数＞０の場合、要求係数と管理係数との差に基づいて、設定温度は、ユーザ設定温度と管理設定温度との間の温度に設定される。
【００５６】
当該判定を設けることにより、管理係数が要求係数より大きくなった場合であっても、室内の温度が管理設定温度にすぐに到達することなく、一定の温度揺らぎを導入することができる。このため、室内の温度が単調に上昇することがなくなり、ユーザの不満を解消することができる。
【００５７】
一方、管理係数が要求係数より大きくない場合（ステップＳ１０３；Ｎｏ）、制御部１１３は、ユーザからの入力操作があるか否かを判定する（ステップＳ１０５）。
【００５８】
ユーザからの入力操作がない場合（ステップＳ１０５；Ｙｅｓ）、要求係数を減少させ、また、管理係数を増大させるように係数を更新する（ステップＳ１０６）。図７に示すように、制御部１１３は、時間の経過とともに、要求係数を第１所定値から徐々に減少させ、管理係数を０（初期値）から徐々に増大させる。
【００５９】
一方、ユーザからの入力操作がある場合（ステップＳ１０５；Ｎｏ）、制御部１１３は、受付部１１１を介して入力操作されたユーザ設定温度を変更する（ステップＳ１０７）。
【００６０】
その後、制御部１１３は、ステップＳ１０２、Ｓ１０４、Ｓ１０６にて更新された要求係数及び管理係数に基づいて設定された設定温度、または、ステップＳ１０７にて設定されたユーザ設定温度を、現在の設定温度として、表示部１１２が備える表示２０１に表示する（ステップＳ１０８）。そして、所定の時間経過した後、ステップＳ１０１に戻り、判定が再び行われる。
【００６１】
以上の処理により、要求係数と管理係数が決定される。そして、決定された係数に基づいて設備装置１０２の動作が制御され、当該設備装置１０２が消費するエネルギーを削減することができるため、省エネルギーを促進することができる。
【００６２】
次に、設定温度を変更する処理について説明する。図１０は、設定温度を変更するための処理を示すフローチャートである。
【００６３】
まず、制御部１１３は、記憶部１１４に記憶される要求値と第１閾値とを比較して、要求値が第１閾値より大きいか否かを判定する（ステップＳ２０１）。要求値は、上述する式（２）に基づいて算出される。要求値が第１閾値より大きいとは、具体的には、多くのユーザ（多くの制御端末装置１０１）から設定温度を変更する旨の要求がある場合、高い省エネポイントが記憶されている制御端末装置１０１から要求がある場合等をいう。
【００６４】
要求値が第１閾値より大きい場合（ステップＳ２０１；Ｙｅｓ）、制御部１１３は、現在の設定温度をユーザ設定温度に変更する（ステップＳ２０２）。例えば、図３の表示２０１に示すように、現在の設定温度が２６℃であり、当該温度を寒いと感じるため、設定温度を２７℃にしたいとするユーザからの要求が受け付けられて、設定温度が変更される。これにより、設備装置１０２の動作が制御され、当該設備装置１０２が設置される室内の温度が、ユーザ設定温度に近づいていく。
【００６５】
一方、要求値が第１閾値より大きくない場合（ステップＳ２０１；Ｎｏ）、制御部１１３は、要求値と管理値とを比較して、要求値が管理値より大きいか否かを判定する（ステップＳ２０３）。管理値は、上述する式（３）に基づいて算出される。要求値が管理値より大きいとは、具体的には、設備装置１０２が消費するエネルギーを抑制する必要があるが、ユーザからの要求が上回っている場合等をいう。
【００６６】
要求値が管理値より大きい場合（ステップＳ２０３；Ｙｅｓ）、制御部１１３は、現在の設定温度をユーザ設定温度に変更する（ステップＳ２０２）。現在の設定温度がユーザ設定温度に変更されると、設備装置１０２の動作が制御され、当該設備装置１０２が設置される室内の温度が、ユーザ設定温度に近づいていく。
【００６７】
一方、要求値が管理値より大きくない場合（ステップＳ２０３；Ｎｏ）、制御部１１３は、管理値と第２閾値とを比較して、管理値が第２閾値より大きいか否かを判定する（ステップＳ２０４）。管理値が第２閾値より大きいとは、具体的には、設備装置１０２が消費するエネルギーが大きいために、当該エネルギーの消費を抑制する必要がある場合等をいう。
【００６８】
管理値が第２閾値より大きい場合（ステップＳ２０４；Ｙｅｓ）、制御部１１３は、現在の設定温度を管理設定温度に変更する（ステップＳ２０５）。現在の設定温度が管理設定温度に変更されると、設備装置１０２の動作が制御され、当該設備装置１０２が設置される室内の温度が、管理設定温度に近づいていく。これにより、設備装置１０２が消費するエネルギーを抑制することができる。
【００６９】
一方、管理値が第２閾値より大きくない場合（ステップＳ２０４；Ｎｏ）、制御部１１３は、現在の設定温度を継続する（ステップＳ２１０）。
【００７０】
次に、ステップＳ２０２及びＳ２０５にて設定温度が変更された後、制御部１１３は、設備装置１０２が消費するエネルギーが、管理目標内か否かを判定する（ステップＳ２０７）。
【００７１】
管理目標内の場合（ステップＳ２０７；Ｙｅｓ）、制御部１１３は、エネルギー係数（Ｅｃ）＝０．５として、省エネポイントを更新する（ステップＳ２０８）。省エネポイントは、式（１）に基づいて算出される。式（１）に示すように、エネルギー係数が小さくなると、省エネポイントが変動する割合が小さくなる。管理目標が範囲内である場合には管理目標の範囲外とならないように、省エネポイントが変動する割合を小さくすることにより、設備装置１０２の動作を制御する。
【００７２】
省エネポイントは、図５及び式（１）に示すように、設備装置１０２が消費するエネルギーが減少する入力操作（具体的には、温度を上げる操作）が行われると増加し、設備装置１０２が消費するエネルギーが増加する入力操作（具体的には、温度を下げる操作）が行われると減少する。すなわち、それぞれの制御端末装置１０１（１０１ａ、１０１ｂ）が備える記憶部１１４に記憶される省エネポイントを比較することにより、省エネルギーに貢献しているユーザを判定することができる。そして、省エネルギーに貢献しているユーザ、すなわち、省エネポイントが大きい制御端末装置１０１からの要求が優先されて、設備装置１０２の動作が制御される。
【００７３】
なお、設備装置１０２が消費するエネルギーが減少する要求、すなわち、設定温度を上げる要求の場合、制御部１１３は、エネルギー値（Ｅ）＝１として、省エネポイントを算出することもできる。これにより、省エネルギーが促進されると、省エネポイントが増加される。これにより、当該省エネポイントが増加した制御端末装置１０１からの要求が優先される。
【００７４】
一方、管理目標外の場合（ステップＳ２０７；Ｎｏ）、制御部１１３は、エネルギー係数（Ｅｃ）＝１として、省エネポイントを更新する（ステップＳ２０９）。式（１）に示すように、エネルギー係数が大きくなると、省エネポイントが変動する割合が大きくなる。管理目標が範囲外である場合には管理目標の範囲内となるように、省エネポイントが変動する割合を大きくして、設備装置１０２の動作を制御する。
【００７５】
その後、制御部１１３は、現在の設定温度を継続する（ステップＳ２１０）。そして、所定の時間経過した後、ステップＳ２０１に戻り、判定が再び行われる。
【００７６】
以上の処理により、設備装置１０２の動作が制御され、当該設備装置１０２が消費するエネルギーを削減することができるため、省エネルギーを促進することができる。
【００７７】
なお、本発明は上記実施の形態に限定されず、種々の変形及び応用が可能である。
【００７８】
設備装置１０２は、ＣＰＵ等から構成される制御部、及び、フラッシュメモリなどの不揮発性メモリ、ＲＡＭ等から構成される記憶部を備えることもできる。設備装置１０２は、それぞれの制御端末装置１０１において所定の式に基づいて算出される要求係数、管理係数、省エネポイント、要求値、及び、管理値等を算出することにより、設備装置１０２の動作を制御することもできる。
【００７９】
位置検出部１１５は、制御端末装置１０１の位置に基づいて、それぞれの制御端末装置１０１及び設備装置１０２を複数のグループに分けることもできる。そして、通信部１１０は、グループ化された制御端末装置１０１と設備装置１０２との間でのみ通信を行うこともできる。
【００８０】
省エネポイントの利用方法は任意であり、例えば、空調設備の動作を制御するための省エネポイントを、照明設備の動作を制御するために利用することもできる。
【産業上の利用可能性】
【００８１】
この発明は、省エネルギーを促進することに用いることができる。
【符号の説明】
【００８２】
１０１（１０１ａ、１０１ｂ）  制御端末装置
１０２  設備装置
１１０  通信部
１１１  受付部
１１２  表示部
１１３  制御部
１１４  記憶部
１１５  位置検出部
【図１】
2011077687.tif 000003
【図２】
2011077687.tif 000004
【図３】
2011077687.tif 000005
【図４】
2011077687.tif 000006
【図５】
2011077687.tif 000007
【図６】
2011077687.tif 000008
【図７】
2011077687.tif 000009
【図８】
2011077687.tif 000010
【図９】
2011077687.tif 000011
【図１０】
2011077687.tif 000012